(57)【要約】【課題】  ユーザが所望する装飾を容易かつ迅速に反映することで、文章の編集効率の向上を図ることを目的とする。【解決手段】  本発明の電子機器は、表示部１１６と、操作部１１４と、標準文字装飾の１つの属性を変換する基本文字装飾と複数の属性を変換する追加文字装飾を記憶する記憶部１１２と、操作部を通じたユーザの指示に基づいて、表示部に表示された文字列に、基本文字装飾または追加文字装飾を適用する文字列装飾部１１８と、を備えることを特徴としている。【選択図】    図１
2009053959.tif 000002
【特許請求の範囲】
【請求項１】
表示部と、
操作部と、
標準文字装飾の１つの属性を変換する基本文字装飾と複数の属性を変換する追加文字装飾とを記憶する記憶部と、
前記操作部を通じたユーザの指示に基づいて、前記表示部に表示された文字列に、前記基本文字装飾または前記追加文字装飾を適用する文字列装飾部と、
を備えることを特徴とする、電子機器。
【請求項２】
前記記憶部は、所定の文字列に前記基本文字装飾または前記追加文字装飾を関連付けたテーブルをさらに記憶し、
前記文字列装飾部は、前記テーブルに記憶された所定の文字列が入力されたとき、該文字列に関連付けられた装飾を当該文字列に適用することを特徴とする、請求項１に記載の電子機器。
【請求項３】
前記文字列装飾部が文字列の新たな装飾を適用した場合、その対応関係を関連付けて前記テーブルに追加するテーブル追加部をさらに備えることを特徴とする、請求項２に記載の電子機器。
【請求項４】
装飾対象となる前記文字列に複数の装飾が関連付けられている場合、装飾した状態の文字列をリスト形式で前記表示部に表示して選択させる装飾選択部をさらに含むことを特徴とする、請求項１〜３のいずれかに記載の電子機器。
【請求項５】
前記属性は、フォント、大きさ、色、文字飾り、動作の群から選択された１または２以上を含むことを特徴とする、請求項１〜４のいずれかに記載の電子機器。
【請求項６】
表示部と、
操作部と、
所定の文字列を記憶する記憶部と、
前記操作部を通じて、前記記憶部に記憶された文字列が入力されたとき、該文字列の装飾を促し、ユーザの指示に基づいて該装飾を適用する文字列装飾部と、
を備えることを特徴とする、電子機器。
【請求項７】
前記テーブルに記憶された文字列が入力されたとき、全ての装飾をリスト形式で前記表示部に表示して選択させる装飾選択部をさらに含むことを特徴とする、請求項６に記載の電子機器。
【請求項８】
表示部と、
操作部と、
所定の文章に対し、前記操作部を通じて入力された文字列を一括または個別に検索し、該文字列の装飾を促し、ユーザの指示に基づいて該装飾を適用する文字列装飾部と、
を備えることを特徴とする、電子機器。
【請求項９】
表示部と、操作部と、を備える電子機器を用いて文字装飾を行う編集方法であって、
標準文字装飾の１つの属性を変換する基本文字装飾と複数の属性を変換する追加文字装飾とを予め記憶し、
前記操作部を通じたユーザの指示に基づいて、前記表示部に表示された文字列に、前記基本文字装飾または前記追加文字装飾を適用する
ことを特徴とする、編集方法。
【請求項１０】
表示部と、操作部と、を備える電子機器を用いて文字装飾を行う編集方法であって、所定の文字列を予め記憶し、
前記操作部を通じて、前記記憶部に記憶された文字列が入力されたとき、該文字列の装飾を促し、ユーザの指示に基づいて該装飾を適用する
ことを特徴とする、編集方法。
【請求項１１】
表示部と、操作部と、を備える電子機器を用いて文字装飾を行う編集方法であって、所定の文章に対し、前記操作部を通じて入力された文字列を一括または個別に検索し、
前記文字列の装飾を促し、
ユーザの指示に基づいて該装飾を適用する
ことを特徴とする、編集方法。
【発明の詳細な説明】
【技術分野】
【０００１】
本発明は、編集中の文章に対して文字列の装飾を行う電子機器およびその電子機器を用いた編集方法に関する。
【背景技術】
【０００２】
近年、携帯電話やＰＨＳ（Personal Handy phone System）、ＰＤＡ（Personal Digital Assistant）に代表される電子機器は、小型、軽量化が進み、その機能も充実している。このような電子機器では、データの閲覧機能といった情報の受信機能に加えて、電子メール等積極的に編集、送信する機能も一般化されてきた。
【０００３】
こうした電子機器上で、文章の編集を行う場合、仮名、片仮名、ローマ字、漢字等の形式変換以外にも、文章を強調したり感情を伝達したりするために文字列（文字を含む）の装飾が行われる。一般的な装飾としては、フォント、大きさ、色、文字飾り等の変換があるが、文字に動的変化を付与するブリンク、テロップ、スウィング等の応用も遂行可能である。
【０００４】
このような文字列の装飾は、装飾する範囲を指定し、装飾の各属性を変換することで為される。例えば、スプレッドシート形式の表を作成する場合、配列の１つのセルを指定して装飾を施すことになる。ここで、複数のセルからなるセル群を関連付け、そのセル群に対して一度に同一の装飾を施す技術が知られている（例えば、特許文献１）。かかる技術では、セル群といった単位を設けることでそのセル群の見出しを容易に作成でき、また、表に行や列を挿入、削除する場合においてもセル群として装飾情報を維持することができる。
【０００５】
また、上述した装飾する範囲の指定に加えて、多数の装飾形態から所望する装飾形態を容易に選択できるように、その選択肢の数を制限して装飾形態の選択を簡素化する技術も知られている（例えば、特許文献２）。かかる技術では、例えば、プレゼンテーションのテンプレート作成の際、ユーザに、まずその使用目的を選択させ、使用目的に応じた装飾形態を表示選択させる。このように装飾形態の選択範囲を必要分だけに絞ることで、ユーザは独自のテンプレートをスムーズに作成でき、作業効率の向上を図ることが可能となる。
【特許文献１】特開平６−２５９４５８号公報
【特許文献２】特開平９−６５６８号公報
【発明の開示】
【発明が解決しようとする課題】
【０００６】
上述した装飾対象の範囲拡大や装飾形態（属性）の選択範囲削減によってユーザの負担は多少軽減されたが、具体的な装飾属性の選択に対する負担は軽減されていない。例えば、複数の属性（フォント、大きさ、色、文字飾り）を変換する場合、まず、１つの属性を変換し、改めて他の属性を変換するといった手順を踏まなければならない。以下、このような１つの属性のみ変換する装飾を基本文字装飾という。
【０００７】
このような複数の属性を一度に変換する新たな属性をデフォルトで準備すると、その数が累乗的に肥大し、所望する属性を抽出できないばかりか、今まで容易に選択できていた基本文字装飾でさえ選択困難になってしまう。
【０００８】
本発明は、従来の技術が有する上記問題点に鑑みてなされたものであり、本発明の目的は、ユーザが所望する装飾を容易かつ迅速に反映することで、文章の編集効率の向上を図ることが可能な、電子機器および編集方法を提供することである。
【課題を解決するための手段】
【０００９】
上記課題を解決するために、本発明のある観点によれば、表示部と、操作部と、標準文字装飾の１つの属性を変換する基本文字装飾と複数の属性を変換する追加文字装飾とを記憶する記憶部と、操作部を通じたユーザの指示に基づいて、表示部に表示された文字列に、基本文字装飾または追加文字装飾を適用する文字列装飾部と、を備えることを特徴とする、電子機器が提供される。属性は、フォント、大きさ、色、文字飾り、動作の群から選択された１または２以上を含んでもよい。
【００１０】
通常、電子機器には標準文字装飾のうち１つの属性のみを変化させる基本文字装飾がデフォルトとして準備されている。本発明ではさらに、複数の属性を一度に変換可能な追加文字装飾をユーザに個別に設定（生成）させ、それを記憶部に記憶することで、複数の装飾属性を、基本文字装飾同様一度に反映することが可能となる。従って、ユーザが所望する複数の属性の変化を伴う装飾を、複数回の基本文字装飾を経ることなく、容易かつ迅速に反映することが可能となり、文章の編集効率の向上を図ることができる。
【００１１】
記憶部は、所定の文字列に基本文字装飾または追加文字装飾を関連付けたテーブルをさらに記憶し、文字列装飾部は、テーブルに記憶された所定の文字列が入力されたとき、文字列に関連付けられた装飾を当該文字列に適用してもよい。
【００１２】
文字列を装飾する際には、装飾対象の文字列を個々に指定しなければならないという煩わしさが残存していた。また、指定範囲を誤ると、再度の装飾が必要となり、装飾処理の短縮化どころか却って長時間の編集が強いられていた。本発明では、テーブルに記憶された文字列をユーザが入力した時点で、その文字列に自動的に装飾が施されるので、装飾の選択処理が不要となり、かつ装飾範囲の誤選択も排除できる。従って、文章の編集に関するユーザの負担を著しく削減することが可能となる。
【００１３】
電子機器は、文字列装飾部が文字列の新たな装飾を適用した場合、その対応関係を関連付けてテーブルに追加するテーブル追加部をさらに備えてもよい。
【００１４】
本発明は所謂学習機能を構成している。今回新たに装飾した文字列とその装飾内容との対応関係を記憶部のテーブルに追加記憶することで、次回同じ文字列を入力したとき、煩雑な入力手順を踏むことなく、容易に同一の装飾を施すことができる。特に複数の属性変換を一度に行う追加文字装飾を登録することで、複数回の装飾動作を一度に遂行可能となり、さらなる文章の編集効率の向上を図ることが可能となる。
【００１５】
装飾対象となる文字列に複数の装飾が関連付けられている場合、装飾した状態の文字列をリスト形式で表示部に表示して選択させる装飾選択部をさらに含んでもよい。
【００１６】
ここでは、同一の文字列に対して装飾候補が複数ある場合、文字列に装飾を反映した複数の結果を用いてリスト表示（仮表示）する。かかる構成によりユーザは、装飾候補を一覧で確認することができ、また、その装飾結果を視認して選択することが可能となるので、最適な装飾を視覚的に比較して選択することができる。従って、装飾を反映したら所望した装飾と雰囲気が違っていた等の装飾失敗が回避され、さらなる文章の編集効率の向上を図ることが可能となる。
【００１７】
上記課題を解決するために、本発明の他の観点によれば、表示部と、操作部と、所定の文字列を記憶する記憶部と、操作部を通じて、記憶部に記憶された文字列が入力されたとき、文字列の装飾を促し、ユーザの指示に基づいて装飾を適用する文字列装飾部と、を備えることを特徴とする、電子機器が提供される。
【００１８】
かかる構成では、装飾すべき文字列を予め登録しておき、その文字列の入力の都度、装飾の選択を行う。こうして、装飾することが予め分かっている文字列に対してその装飾をスムーズに遂行でき、かつ、装飾すべき文字列の装飾忘れ等を防止することができる。
【００１９】
記憶部に記憶された文字列が入力されたとき、全ての装飾をリスト形式で表示部に表示して選択させる装飾選択部をさらに含んでもよい。
【００２０】
かかる構成により、ユーザは、装飾候補を一覧で確認することができ、その選択のみで装飾を完了することができる。さらに、上述した文字列の装飾状態の仮表示を行うことで、その装飾結果を視認して選択することが可能となるので、最適な装飾を視覚的に比較して選択することができる。従って、さらなる文章の編集効率の向上を図ることが可能となる。
【００２１】
上記課題を解決するために、本発明の他の観点によれば、表示部と、操作部と、所定の文章に対し、操作部を通じて入力された文字列を一括または個別に検索し、文字列の装飾を促し、ユーザの指示に基づいて装飾を適用する文字列装飾部と、を備えることを特徴とする、電子機器が提供される。
【００２２】
かかる構成では、他から入力した文章または編集し終わった文章中の文字列を事後的に編集する。従って、文章を編集し終わった状態で強調したい文字列を判断でき、その文字列に関し順次装飾または一括装飾することができる。また、装飾すべき文字列の装飾忘れ等の防止も図れる。
【００２３】
上記課題を解決するために、本発明の他の観点によれば、表示部と、操作部と、を備える電子機器を用いて文字装飾を行う編集方法であって、標準文字装飾の１つの属性を変換する基本文字装飾と複数の属性を変換する追加文字装飾を予め記憶し、操作部を通じたユーザの指示に基づいて、表示部に表示された文字列に、基本文字装飾または追加文字装飾を適用することを特徴とする、編集方法が提供される。
【００２４】
上記課題を解決するために、本発明のさらに他の観点によれば、表示部と、操作部と、を備える電子機器を用いて文字装飾を行う編集方法であって、所定の文字列を予め記憶し、操作部を通じて、記憶部に記憶された文字列が入力されたとき、文字列の装飾を促し、ユーザの指示に基づいて装飾を適用することを特徴とする、編集方法が提供される。
【００２５】
上記課題を解決するために、本発明のさらに他の観点によれば、表示部と、操作部と、を備える電子機器を用いて文字装飾を行う編集方法であって、所定の文章に対し、操作部を通じて入力された文字列を一括または個別に検索し、文字列の装飾を促し、ユーザの指示に基づいて装飾を適用することを特徴とする、編集方法が提供される。
【００２６】
上述した、電子機器の技術的思想に基づく構成要素やその説明は、当該編集方法にも適用可能である。
【発明の効果】
【００２７】
以上説明したように本発明では、ユーザが所望する装飾を容易かつ迅速に反映することで、文章の編集効率の向上を図ることができる。また、テーブルに記憶された文字列を入力した時点で、その文字列に自動的に装飾が施されるので、装飾の選択処理が不要となり、かつ装飾範囲の誤選択も排除できるので、文章の編集に関するユーザの負担を著しく削減することが可能となる。
【発明を実施するための最良の形態】
【００２８】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２９】
（電子機器）
近年、携帯電話、ＰＨＳ、ＰＤＡ等の電子機器においても、様々な機能が充実し、ＨＴＭＬ電子メール等の文章作成機能における文章の編集能力も高まってきた。例えば、文章中の文字列を部分的に装飾することができ、他の文章と変化を持たせることが可能となった。しかし、装飾の適用には、例えば、（１）メニューを開く、（２）装飾範囲を指定する、（３）装飾一覧から所望する装飾を一つ選ぶといった手間がかかり、同一の文字列にさらなる装飾を適用する場合には（２）、（３）を繰り返す必要があった。
【００３０】
本実施形態の電子機器は、ユーザが所望する装飾を容易かつ迅速に反映することで、文章の編集効率の向上を図ることが可能となる。ここでは、本実施形態の理解を容易にするため、電子機器としてＰＨＳを挙げている。以下、ＰＨＳ１００の全体的な構成について説明し、その後に編集方法の詳細な動作について述べる。
【００３１】
図１は、ＰＨＳ１００の概略的な構成を示した機能ブロック図であり、図２は、ＰＨＳ１００の外観を説明するための正面図である。かかるＰＨＳ１００は、携帯可能な電子機器であり、無線による通話や通信機能を備える。また、ＰＨＳ１００は、端末制御部１１０と、記憶部１１２と、操作部１１４と、表示部１１６と、文字列装飾部１１８と、テーブル追加部１２０と、装飾選択部１２２と、音声入力部１２４と、音声出力部１２６と、無線通信部１２８と、内部電池１３０とを含んで構成される。
【００３２】
上記端末制御部１１０は、中央処理装置（ＣＰＵ）を含む半導体集積回路によりＰＨＳ１００全体を管理および制御する。端末制御部１１０は、記憶部１１２のプログラムを用いて、ＰＨＳ１００を利用した通話機能やメール配信機能を遂行する。
【００３３】
上記記憶部１１２は、ＲＯＭ、ＲＡＭ、Ｅ２ＰＲＯＭ、不揮発性ＲＡＭ、フラッシュ記憶部、ＨＤＤ等で構成され、端末制御部１１０で処理されるプログラムやその他のデータファイル等を記憶する。
【００３４】
ＰＨＳ１００では、通常、標準文字装飾のうち１つの属性、例えば、フォントのみや大きさのみといった属性のみを変化させる基本文字装飾がデフォルトとして準備されている。本実施形態の記憶部１１２では、上記基本文字装飾に加えて、複数の属性を一度に変換可能な追加文字装飾をユーザに個別に設定（生成）させ、それを記憶する。また、後述するテーブル等を記憶することもできる。
【００３５】
図３は、追加文字装飾を説明するための説明図である。通常準備されている装飾は、図３（ａ）に示すような１つの属性のみを変換する基本文字装飾であり、図３（ａ）の基本文字装飾では、属性「大きさ」の値を「１８ｐ」に変換する装飾が行われる。例えば、その他にも「強調」、「ブリンク」といった装飾を行いたい場合、基本文字装飾「強調」と、基本文字装飾「ブリンク」とをそれぞれ実行しなければならない。
【００３６】
これに対して図３（ｂ）に示した追加文字装飾では、例えば、属性「大きさ」の値を「１８ｐ」に、属性「文字飾り」の値を「強調」に、属性「動作」の値を「ブリンク」に一度に変換する装飾が行われる。従って、一度の装飾で、図３（ｂ）の上方（「花火」）に示されるような変換が可能となる。こうして、ユーザが所望する複数の属性の変化を伴う装飾を容易かつ迅速に反映することが可能となり、文章の編集効率の向上を図ることができる。
【００３７】
ここでは属性として、フォント、大きさ、色、文字飾り、動作等を挙げているが文字の外観上の変形を伴うものであれば、様々な属性を適用することができる。また、文字飾りは、斜体、太字、上付、下付、中抜き、影付き、文字位置（左寄せ、センタリング、右寄せ）等様々な文字の飾りを示し、動作は、ブリンク（点滅）、テロップ、スウィング等様々な形態変化を示している。
【００３８】
ただし、１つの文字列に同時に設定することができない複数の属性の値、例えば「右寄せ」と「センタリング」等の組合せに関しては、属性の選択時に一意に設定できるよう制限を設ける。また、制限を設けることができない場合、後の設定（新たな設定）の方が優先され、その属性が有効となる。また、属性に優先順位を設けて、優先順位の高い方を有効とすることも可能である。このとき、先に設定され新たな設定により無効になる前の属性に関して「センタリングの設定により右寄せの装飾が解除されます。よろしいですか？」等の案内を表示部に表示し、上書きすることに対するユーザの注意を促すことも可能である。
【００３９】
上記操作部１１４は、キーボード、十字キー、ジョイスティック等の操作キー１５０を例えば筐体の正面に配列して成り、ユーザにその操作キー１５０を押下させることで操作入力を受け付ける。
【００４０】
上記表示部１１６は、カラーまたはモノクロの液晶ディスプレイで構成され、ＰＨＳ１００内の記憶部１１２に記憶された、または通信網を介してアプリケーション中継サーバ（図示せず）から提供される、ＷｅｂブラウザやアプリケーションのＧＵＩ（Graphical User Interface）を表示することができる。
【００４１】
上記文字列装飾部１１８は、操作部１１４を通じたユーザの指示に基づいて、表示部１１６に表示された文字列に、記憶部１１２に記憶された基本文字装飾または追加文字装飾を適用する。尚、本実施形態において文字列と言った場合、１文字で構成されているもの、即ち文字も含む。また、文字列の認識は形態素解析等、既存の様々な方法を利用することが可能である。
【００４２】
ここで、文字列装飾部１１８は、テーブル１５２に記憶された所定の文字列が入力されたとき、文字列に関連付けられた装飾をかかる文字列に適用する。このとき、テーブル１５２は、記憶部１１２に記憶され、所定の文字列に基本文字装飾または追加文字装飾を関連付ける。
【００４３】
図４は、記憶部１１２に記憶されるテーブルを説明するための説明図である。かかるテーブルでは、文字列「花火」が装飾「追加文字装飾１」に割り当てられている。「追加文字装飾１」は、複数の属性を備え、例えば、「赤色」、「強調」、「ブリンク」といった属性を有している。また、文字列や装飾が重複する場合も許容し、例えば、文字列「花火」に対して装飾を複数設定したり、複数の文字列に対して同じ装飾を設定したりすることができる。
【００４４】
従来では、文字列を装飾する際に、装飾対象の文字列を個々に指定しなければならないという煩わしさが残存していた。また、指定範囲を誤ると、再度の装飾が必要となり、装飾処理の短縮化どころか却って長時間の編集が強いられていた。
【００４５】
本実施形態では、ユーザが文字列を入力した時点で、文字列装飾部１１８が、図４に示したようなテーブル１５２の対応関係を用いて、文章中の文字列とテーブル１５２の文字列が一致するかどうか判断し、一致すればその文字列に関連付けられた装飾を自動的に適用する。かかる適用は、完全に自動化することもできるし、装飾を実際に適用するかどうかも含めてその都度ユーザに確認し、その指示をもって実行することもできる。
【００４６】
図５は、文字列装飾部１１８の動作を説明するための表示部１１６の外観図である。かかる図５（ａ）において、「花火」という文字列を入力すると、即座にテーブル１５２が参照され、「花火」の文字列が「赤色」、「強調」、「ブリンク」といった装飾が施される。こうして、装飾の選択処理が不要となり、かつ装飾範囲の誤選択も排除でき、文章の編集に関するユーザの負担を著しく削減することが可能となる。
【００４７】
上記テーブル追加部１２０は、操作部１１４からのユーザの指示を通じて、文字列装飾部１１８が文字列の新たな装飾を適用した場合、即ち、その文字列がテーブル１５２に登録されていなかった場合、その文字列と装飾との対応関係を関連付けてテーブル１５２に追加する。テーブル追加部１２０は、所謂学習機能を構成している。
【００４８】
今回新たに装飾した文字列とその装飾内容との対応関係を記憶部１１２のテーブル１５２に追加記憶することで、次回同じ文字列を入力したとき、煩雑な入力手順を踏むことなく、容易に同一の装飾を施すことができる。特に複数の属性変換を一度に行う追加文字装飾を登録することで、複数回の装飾動作を一度に遂行可能となり、さらなる文章の編集効率の向上を図ることが可能となる。
【００４９】
上記装飾選択部１２２は、装飾対象となる文字列に複数の装飾が関連付けられている場合、全ての装飾をリスト形式で表示部１１６に表示して選択させる。そして、装飾選択部１２２は、選択可能な装飾毎に文字列を装飾した状態を仮表示する。
【００５０】
図６は、装飾選択部１２２の動作を説明するための表示部１１６の外観図である。かかる図６（ａ）において、「花火」という文字列を入力すると、即座にテーブル１５２が参照される。このときテーブル１５２に文字列「花火」に３つの装飾があると、図６（ｂ）のように選択ウィンドウ１５４に、装飾した状態の文字列を全て表示し、ユーザにどの装飾を適用するかを選択させる。ここで、３つの装飾に並置された「その他」の選択肢は、他の装飾を個別に設定するときに利用し、「装飾なし」は、装飾自体を行わないときに利用する。また、選択が完了するまでかかる選択ウィンドウ１５４を閉じなくすることで、装飾忘れを防止することもできる。
【００５１】
かかる構成によりユーザは、装飾候補を一覧で確認することができ、また、その装飾結果をその場面で視認して選択することが可能となるので、最適な装飾を視覚的に比較して選択することができる。従って、装飾を反映したら所望した装飾と雰囲気が違っていた等の装飾失敗が回避され、さらなる文章の編集効率の向上を図ることが可能となる。
【００５２】
また、記憶部１１２に文字列のみが登録されている場合、文字列装飾部１１８は、操作部１１４を通じて、記憶部１１２に記憶された文字列が入力されたとき、その文字列が装飾対象となっていることを把握し、表示部１１６を通じてユーザに文字列の装飾を促し、ユーザの指示に基づいて装飾を適用する。
【００５３】
かかる構成では、装飾すべき文字列を予め登録しておき、その文字列の入力の都度、装飾の選択を行う。こうして、装飾することが予め分かっている文字列に対してその装飾をその時々の状況に合わせて選択することが可能となり、個性的な文章をスムーズに作成することができる。また、装飾すべき文字列の装飾忘れ等を防止することもできる。
【００５４】
また、文字列装飾部１１８は、所定の文章に対し、操作部１１４を通じて入力された文字列を一括または個別に検索し、文字列の装飾を促し、ユーザの指示に基づいて装飾を適用することもできる。
【００５５】
図７は、文字列装飾部１１８の他の動作を説明するための表示部１１６の外観図である。ここでは、文章を打ち終わった後で、文字列「花火」を指定し、一括して「ブリンク」の装飾を適用している。従って、文章を編集し終わった状態で強調したい文字列を判断でき、その文字列に関し順次装飾または一括装飾することができる。また、装飾すべき文字列の装飾忘れ等の防止も図れる。順次装飾する場合には、その都度装飾の有無も判断することができるので、文章全体のバランスや強調すべき場所を選択して仕上げることができる。
【００５６】
このような装飾選択部１２２は、その機能（自動装飾設定）のオン・オフを設定できる。従って、オフの場合には装飾選択部１２２による候補の一覧は表示されず、無駄に一覧が表示されその都度閉じるといった処理をしなくて済む。同様にして、文字列装飾部１１８による文字列の自動装飾もオン・オフすることができる。
【００５７】
また、このような自動装飾設定オン・オフの設定はアプリケーション毎に設定できる。例えば、電子メールはオン、メモ帳はオフに設定可能である。また、アプリケーションによっては装飾自体が無効な場合、例えば、テキストメールを送信する場合がある。このときはアプリケーションに応じて装飾機能を起動させないように設定する。
【００５８】
上記音声入力部１２４は、マイク等の音声認識装置で構成され、通話時に入力されたユーザの音声をＰＨＳ１００内で処理可能な電気信号に変換する。
【００５９】
上記音声出力部１２６は、スピーカで構成され、ＰＨＳ１００で受信した通話相手の音声信号を音声に変えて出力する。また、着信音や操作部１１４による操作音、アラーム音等も出力できる。
【００６０】
上記無線通信部１２８は、ＰＨＳ網における基地局１６０と無線通信を行う。かかる無線通信としては、基地局１６０内でフレームを時分割した複数のタイムスロットをそれぞれＰＨＳ１００のチャネルに割り当てて通信を行う時分割多重方式等がある。
【００６１】
上記内部電池１３０は、リチウムイオン等から成る二次電池で構成され、充電器１７０を通じて商用電源１７２から受電した電力の一部を蓄積し、充電器１７０から離脱された後もＰＨＳ１００の各回路への配電を行う。
【００６２】
また、上述したＰＨＳ１００として機能するプログラムやそのプログラムを格納した記憶媒体も提供される。
【００６３】
（編集方法）
次に、上述した電子機器としてのＰＨＳ１００を用いて文字装飾を行う編集方法を説明する。
【００６４】
図８は、編集方法の具体的な動作を示したフローチャートである。かかる編集方法では、予め文字列と装飾とを関連付けるか、または、単に文字列のみを登録すると、その文字列を入力した際に迅速かつ確実に装飾を適用できる。かかる装飾を有効にするためには自動装飾設定をオンにする。
【００６５】
ここでは、ユーザが、操作部１１４を通じて文字列を入力すると（Ｓ２００）、ＰＨＳ１００側で、その文字列がテーブル１５２に登録されているかどうか判断される（Ｓ２０２）。
【００６６】
ここで、テーブル１５２に登録されていると判断された場合、自動装飾設定が為されているかどうかが参照される（Ｓ２０４）。自動装飾設定がオンになっていれば、装飾を確認するための選択ウィンドウ１５４を表示し（Ｓ２０６）、テーブル１５２において入力された文字列と関連付けられた全ての装飾と、「その他」の装飾と、「装飾なし」との選択を促す。ここで選択可能な装飾は、対象となる文字列が装飾された仮表示として示される。
【００６７】
そして、選択ウィンドウ１５４中に表示された、対応装飾のいずれかが選択された場合（Ｓ２０８）、その選択された装飾を実際の文章に反映して（Ｓ２１０）、選択ウィンドウ１５４を閉じ（Ｓ２１２）、次の文字入力待ちに戻る。「その他」の装飾が選択された場合（Ｓ２１４）、全ての装飾を選択ウィンドウ１５４に再表示して装飾を促し（Ｓ２１６）、選択された装飾を実際の文章に反映して（Ｓ２１８）、選択ウィンドウ１５４を閉じ（Ｓ２１２）、次の文字入力待ちに戻る。「装飾なし」が選択された場合、選択ウィンドウ１５４を閉じ（Ｓ２１２）、次の文字入力待ちに戻る。
【００６８】
また、テーブル判断ステップ（Ｓ２０２）で、その文字列がテーブル１５２に登録されていなかった場合、その文字列が装飾すべき文字列として単独で記憶部１１２に記憶されているかが判断される（Ｓ２３０）。そして、文字列が記憶されていると判断された場合、自動装飾設定が為されているかどうかが参照される（Ｓ２３２）。ここで自動装飾設定がオンになっていれば、装飾を行うかどうかの選択ウィンドウ１５４を表示し（Ｓ２３４）、準備されている全ての装飾と、「装飾なし」との選択を促す。
【００６９】
そして、選択ウィンドウ１５４中に表示された、登録装飾のいずれかが選択された場合（Ｓ２３６）、その選択された装飾を実際の文章に反映して（Ｓ２３８）、選択ウィンドウ１５４を閉じ（Ｓ２４０）、次の文字入力待ちに戻る。装飾なしが選択された場合、選択ウィンドウ１５４を閉じ（Ｓ２４０）、次の文字入力待ちに戻る。
【００７０】
次に、文章を書き終えた後、文章中の文字列に関して事後的に一括して装飾を行う編集方法を説明する。
【００７１】
図９は、編集方法の具体的な動作を示したフローチャートである。かかる編集方法では、まず、ユーザが操作部１１４を通じて文章を入力する（Ｓ３００）。文章の入力が完了し、ユーザによって文字列の一括装飾が選択されると（Ｓ３０２）、入力された文章の文字列全てに対してテーブル１５２や単独登録の有無が検索され（Ｓ３０４）、検索された文字列に関してテーブル１５２に登録されていれば（Ｓ３０６）、そのテーブル１５２に基づいた装飾（Ｓ３０８：詳細には図８のＳ２０４〜Ｓ２１２参照）が実行され、単独登録されていれば（Ｓ３１０）、装飾の選択処理（Ｓ３１２：詳細には図８のＳ２３２〜Ｓ２４０参照）が実行される。かかる処理は、全ての文字列の装飾が完了するまで繰り返し行われる（Ｓ３１４）。
【００７２】
以上説明したような実施形態では、ユーザが所望する装飾を容易かつ迅速に反映することで、文章の編集効率の向上を図ることができる。また、テーブルに記憶された文字列を入力した時点で、その文字列に自動的に装飾が施されるので、装飾の選択処理が不要となり、かつ装飾範囲の誤選択も排除できるので、文章の編集に関するユーザの負担を著しく削減することが可能となる。
【００７３】
以上、添付図面を参照しながら本発明の好適な実施形態について説明したが、本発明は係る例に限定されないことは言うまでもない。当業者であれば、特許請求の範囲に記載された範疇内において、各種の変換例または修正例に想到し得ることは明らかであり、それらについても当然に本発明の技術的範囲に属するものと了解される。
【００７４】
なお、本明細書の編集方法における各工程は、必ずしもフローチャートとして記載された順序に沿って時系列に処理する必要はなく、並列的あるいは個別に実行される処理（例えば、並列処理あるいはオブジェクトによる処理）も含むとしても良い。
【産業上の利用可能性】
【００７５】
本発明は、編集中の文章に対して文字列の装飾を行う電子機器およびその電子機器を用いた編集方法に利用することができる。
【図面の簡単な説明】
【００７６】
【図１】ＰＨＳの概略的な構成を示した機能ブロック図である。
【図２】ＰＨＳの外観を説明するための正面図である。
【図３】追加文字装飾を説明するための説明図である。
【図４】記憶部に記憶されるテーブルを説明するための説明図である。
【図５】文字列装飾部の動作を説明するための表示部の外観図である。
【図６】装飾選択部の動作を説明するための表示部の外観図である。
【図７】文字列装飾部１１８の他の動作を説明するための表示部１１６の外観図である。
【図８】編集方法の具体的な動作を示したフローチャートである。
【図９】編集方法の具体的な動作を示したフローチャートである。
【符号の説明】
【００７７】
１００  …ＰＨＳ
１１２  …記憶部
１１４  …操作部
１１６  …表示部
１１８  …文字列装飾部
１２０  …テーブル追加部
１２２  …装飾選択部
１５２  …テーブル
１５４  …選択ウィンドウ
【図１】
2009053959.tif 000003
【図２】
2009053959.tif 000004
【図３】
2009053959.tif 000005
【図４】
2009053959.tif 000006
【図５】
2009053959.tif 000007
【図６】
2009053959.tif 000008
【図７】
2009053959.tif 000009
【図８】
2009053959.tif 000010
【図９】
2009053959.tif 000011